(57)【要約】【課題】  切削工具を簡易に（一度の位置決め作業で）所望の突出量に設定することができ、従来のように煩わしい調整を何度も行う必要がなく、極めて容易に切削工具の突出量を決定して作業性を向上させることができる極めて実用性に秀れたチャック装置及び工具保持方法を提供するものである。【解決手段】  工具１を保持するチャック装置であって、工具１を先端開口部２ａから挿入する挿入孔２を設けたホルダ３を有し、このホルダ３の先端部には工具１を保持する工具保持部５が設けられ、更に、前記挿入孔２には工具ストッパー６が設けられ、この工具ストッパー６の後面には嵌入孔８が設けられ、この嵌入孔８は、工具ストッパー６を挿入孔２内において移動させる適宜な調整工具７が嵌入されるように構成されているものである。【選択図】    図２
2005131765.tif 000002
【特許請求の範囲】
【請求項１】
工具を保持するチャック装置であって、工具を先端開口部から挿入する挿入孔を設けたホルダを有し、このホルダの先端部には工具を保持する工具保持部が設けられ、更に、前記挿入孔には工具ストッパーが設けられ、この工具ストッパーの後面には嵌入孔が設けられ、この嵌入孔は、工具ストッパーを挿入孔内において移動させる適宜な調整工具が嵌入されるように構成されていることを特徴とするチャック装置。
【請求項２】
請求項１記載のチャック装置において、工具ストッパーは挿入孔に螺着されており、適宜な調整工具は該工具ストッパーを回動前進若しくは回動後退させるものであることを特徴とするチャック装置。
【請求項３】
請求項１，２のいずれか１項に記載のチャック装置において、ホルダの基端には挿入孔と連通する油導入孔が設けられ、また、工具ストッパーには油通孔が設けられ、更に、適宜な調整工具は、この油導入孔及び前記挿入孔を通過して嵌入孔に嵌入されるものであることを特徴とするチャック装置。
【請求項４】
請求項３記載のチャック装置において、油通孔は嵌入孔に兼用されていることを特徴とするチャック装置。
【請求項５】
請求項１〜４のいずれか１項に記載のチャック装置において、工具ストッパーの後面は円錐状凹部に形成され、この中心位置に嵌入孔が設けられていることを特徴とするチャック装置。
【請求項６】
請求項１〜５のいずれか１項に記載のチャック装置において、嵌入孔は工具ストッパーの中心位置に設けられていることを特徴とするチャック装置。
【請求項７】
請求項１〜６のいずれか１項に記載のチャック装置において、工具ストッパーは、挿入孔に螺着される基体と該基体に遊嵌される工具受け体とで形成され、嵌入孔は、基体に形成される孔と工具受け体に形成される孔とで構成されていることを特徴とするチャック装置。
【請求項８】
請求項７記載のチャック装置において、工具受け体はＯリングを介して基体に遊嵌されていることを特徴とするチャック装置。
【請求項９】
請求項７，８いずれか１項に記載のチャック装置において、工具受け体の外周には挿入孔の周壁に当接するシール部材が設けられていることを特徴とするチャック装置。
【請求項１０】
工具を挿入する挿入孔を有し、先端に工具を保持する工具保持部を設けたホルダの前記挿入孔に、該挿入孔の先端開口部から工具を挿入して前記工具保持部により該工具を適性位置に保持する工具保持方法であって、工具を挿入孔の先端開口部から挿入して該工具のホルダからの突出量を適性に調整した後、挿入孔に予め設けられた工具ストッパーを該工具ストッパーの後面側から移動させて工具の基端面に当接させることを特徴とする工具保持方法。
【請求項１１】
請求項１０記載の工具保持方法において、工具ストッパーは挿入孔に螺着されており、工具ストッパーの後面には適宜な調整工具が嵌入され、該適宜な調整工具により工具ストッパーを回動前進若しくは回動後退せしめる嵌入孔が設けられていることを特徴とする工具保持方法。
【発明の詳細な説明】
【技術分野】
【０００１】
本発明は、チャック装置及び工具保持方法に関するものである。
【背景技術】
【０００２】
ドリル等の切削工具を保持する従来のチャック装置は、図１に図示したように、切削工具21を先端開口部22ａから挿入する挿入孔22を設けたホルダ23を有し、この挿入孔22の基部側に該挿入孔22と連通する油導入孔24が設けられ、このホルダ23の先端部には切削工具21を保持する工具保持部25が設けられ、更に、前記挿入孔22には切削工具21が作業中に没入することを防止する工具ストッパー26が螺着され、この工具ストッパー26には挿入孔22と連通する油通孔28が設けられている構成である。
【０００３】
このチャック装置は通常、マシニングセンタ等の工作機械のスピンドルに嵌着されるが、切削工具21の突出量（ホルダの先端からの突出量）は正確に設定されなければならない。
【０００４】
従来は、切削工具21のホルダ23への装着は、先ず、挿入孔22の先端側からレンチ等の調整工具27を挿入して工具ストッパー26を螺動させることで位置決めし、続いて、挿入孔22の先端開口部22ａから切削工具21を嵌入し、適性位置にある工具ストッパー26にこの切削工具21の基端を当接させるという方法で行っていた。
【０００５】
従って、工具ストッパー26を位置決めした後に切削工具21を取り付けるから、切削工具21が適宜な突出量となるように工具ストッパー26を位置決めすることは厄介であり、切削工具21を取り付けた後、工具ストッパー26の位置が不適性な位置であったり、また、この切削工具21の突出量を微調整したい場合には、当然、一旦切削工具21をホルダ23から取り外して工具ストッパー26の位置を前記同様に調整した後、再度切削工具21を取り付けなければならず、非常に厄介であるという問題がある。
【発明の開示】
【発明が解決しようとする課題】
【０００６】
本発明は、上述のような問題点を解決したもので、切削工具を簡易に（一度の位置決め作業で）所望の突出量に設定することができ、従来のように煩わしい調整を何度も行う必要がなく、極めて容易に切削工具の突出量を決定して作業性を向上させることができる極めて実用性に秀れたチャック装置及び工具保持方法を提供することを課題としている。
【課題を解決するための手段】
【０００７】
添付図面を参照して本発明の要旨を説明する。
【０００８】
工具１を保持するチャック装置であって、工具１を先端開口部２ａから挿入する挿入孔２を設けたホルダ３を有し、このホルダ３の先端部には工具１を保持する工具保持部５が設けられ、更に、前記挿入孔２には工具ストッパー６が設けられ、この工具ストッパー６の後面には嵌入孔８が設けられ、この嵌入孔８は、工具ストッパー６を挿入孔２内において移動させる適宜な調整工具７が嵌入されるように構成されていることを特徴とするチャック装置に係るものである。
【０００９】
また、請求項１記載のチャック装置において、工具ストッパー６は挿入孔２に螺着されており、適宜な調整工具７は該工具ストッパー６を回動前進若しくは回動後退させるものであることを特徴とするチャック装置に係るものである。
【００１０】
また、請求項１，２のいずれか１項に記載のチャック装置において、ホルダ３の基端には挿入孔２と連通する油導入孔４が設けられ、また、工具ストッパー６には油通孔が設けられ、更に、適宜な調整工具７は、この油導入孔４及び前記挿入孔２を通過して嵌入孔８に嵌入されるものであることを特徴とするチャック装置に係るものである。
【００１１】
また、請求項３記載のチャック装置において、油通孔は嵌入孔８に兼用されていることを特徴とするチャック装置に係るものである。
【００１２】
また、請求項１〜４のいずれか１項に記載のチャック装置において、工具ストッパー６の後面は円錐状凹部に形成され、この中心位置に嵌入孔８が設けられていることを特徴とするチャック装置に係るものである。
【００１３】
また、請求項１〜５のいずれか１項に記載のチャック装置において、嵌入孔８は工具ストッパー６の中心位置に設けられていることを特徴とするチャック装置に係るものである。
【００１４】
また、請求項１〜６のいずれか１項に記載のチャック装置において、工具ストッパー６は、挿入孔２に螺着される基体６ａと該基体６ａに遊嵌される工具受け体６ｂとで形成され、嵌入孔８は、基体６ａに形成される孔６ａ’と工具受け体６ｂに形成される孔６ｂ’とで構成されていることを特徴とするチャック装置に係るものである。
【００１５】
また、請求項７記載のチャック装置において、工具受け体６ｂはＯリング16を介して基体６ａに遊嵌されていることを特徴とするチャック装置に係るものである。
【００１６】
また、請求項７，８いずれか１項に記載のチャック装置において、工具受け体６ｂの外周には挿入孔２の周壁に当接するシール部材９が設けられていることを特徴とするチャック装置に係るものである。
【００１７】
また、工具１を挿入する挿入孔２を有し、先端に工具１を保持する工具保持部５を設けたホルダ３の前記挿入孔２に、該挿入孔２の先端開口部２ａから工具１を挿入して前記工具保持部５により該工具１を適性位置に保持する工具保持方法であって、工具１を挿入孔２の先端開口部２ａから挿入して該工具１のホルダ３からの突出量を適性に調整した後、挿入孔２に予め設けられた工具ストッパー６を該工具ストッパー６の後面側から移動させて工具１の基端面に当接させることを特徴とする工具保持方法に係るものである。
【００１８】
また、請求項１０記載の工具保持方法において、工具ストッパー６は挿入孔２に螺着されており、工具ストッパー６の後面には適宜な調整工具７が嵌入され、該適宜な調整工具７により工具ストッパー６を回動前進若しくは回動後退せしめる嵌入孔８が設けられていることを特徴とする工具保持方法に係るものである。
【発明の効果】
【００１９】
本発明は上述のように構成したから、従来のように煩わしい調整を何度も行う必要がなく、極めて容易に切削工具の突出量を決定して作業性を向上させることができる極めて実用性に秀れたチャック装置及び工具保持方法となる。
【発明を実施するための最良の形態】
【００２０】
好適と考える本発明の実施の形態を、図面に基づいてその作用効果を示して簡単に説明する。
【００２１】
工具１を挿入孔２の先端開口部２ａから挿入して該工具１のホルダ３からの突出量を適性に調整した後、挿入孔２に予め設けられた工具ストッパー６を該工具ストッパー６の後面側から移動させて工具１の基端面に当接させることができるから、従来のように工具１を取り外しての調整が不要となり、工具１を所望の突出量に簡易に設定することができることになる（一度の位置決め作業で済むことになる）。従って、工具１の取り付けが極めて容易となり、作業性に秀れたものとなる。
【００２２】
よって、本発明は、従来のように工具ストッパーの位置決め調整を何度も行う必要がなく、極めて容易に切削工具の突出量を決定して作業性を向上させることができる極めて実用性に秀れたチャック装置及び工具保持方法となる。
【実施例】
【００２３】
本発明の具体的な実施例について図面に基づいて説明する。
【００２４】
本実施例は、工具１を保持するチャック装置であって、工具１を先端開口部２ａから挿入する挿入孔２を設けたホルダ３を有し、このホルダ３の先端部には工具１を保持する工具保持部５が設けられ、更に、前記挿入孔２には工具ストッパー６が設けられ、この工具ストッパー６の後面には嵌入孔８が設けられ、この嵌入孔８は、工具ストッパー６を挿入孔２内において移動させる適宜な調整工具７が嵌入されるように構成されているものである。
【００２５】
具体的には、本実施例は、マシングセンタ等の工作機械のスピンドルに取り付けられるものであり、工具１として油通孔１ａを有する工具１を採用し、この工具１から油を吐出しながら加工を行うものである。本実施例においては、工具１としてドリルやエンドミル等の切削工具１を採用している。
【００２６】
各部を具体的に説明する。工具１には油通孔１ａが設けられ、また、工具１の基端部は後述する工具ストッパー６の工具受け体６ｂの先端の円錐状凹部と密着状態に当接できるようにテーパー部が設けられている。尚、このテーパー部の代わりに湾曲面状のアール部に設定しても良い。
【００２７】
ホルダ３は、先端部に工具保持部５としての公知のチャック機構が設けられ、また、基端部には、このホルダ３を工作機械の主軸（スピンドル）に引き寄せるためのプルスタッド10が設けられ、更に、ホルダ３の基端部外周は主軸と嵌合するテーパー部３ａに形成されている。
【００２８】
プルスタッド10の先端部は雄螺子部10ａに設定され、この雄螺子部10ａを挿入孔２の基端部に設けた第一雌螺子部12に螺着することで、該プルスタッド10は挿入孔２に固定されている。
【００２９】
また、プルスタッド10の略中央部には、挿入孔２と連通し、油が導入される油導入孔４が設けられている。
【００３０】
挿入孔２の先端寄りには、工具ストッパー６が設けられている。具体的には、この工具ストッパー６は挿入孔２に螺着されている。即ち、工具ストッパー６は、該工具ストッパー６に設けた雄螺子部11が、挿入孔２に設けた第二雌螺子部13に螺着される構成である。
【００３１】
工具ストッパー６の後面には嵌入孔８が設けられている。この嵌入孔８は、工具ストッパー６を挿入孔２内において移動させる適宜な調整工具７が嵌入されるように構成されている。具体的には、嵌入孔８は調整工具７として該工具ストッパー６を回動前進若しくは回動後退させるレンチ等の調整工具７（例えば、六角レンチ）が嵌入される六角孔である。
【００３２】
また、工具ストッパー６の嵌入孔８は、前記工具１の油通孔１ａと連通する油通孔を兼用されている。尚、本実施例は、嵌入孔８が油通孔に兼用されている構成であるが、夫々別々に設けた構成としても良い。
【００３３】
工具ストッパー６について更に具体的に説明すると、工具ストッパー６は、挿入孔２にの第二雌螺子部13に螺着される雄螺子部11を有する金属製の基体６ａと、該基体６ａに遊嵌される金属製の工具受け体６ｂとで形成され、嵌入孔８は、基体６ａに形成される孔６ａ’（六角孔）と工具受け体６ｂの孔６ｂ’から成る構成である。
【００３４】
工具ストッパー６の後面、即ち、基体６ａの後面は円錐状凹部に形成され、この中心位置に嵌入孔８（基体６ａの孔６ａ’）が設けられている。嵌入孔８（基体６ａの孔６ａ’）が目視できず、うまくレンチ等の調整工具７を該嵌入孔８に誘導できない状態でも該円錐状凹部のテーパー面がガイドとなり、該調整工具７を良好に嵌入孔８に嵌入できることになる。更に、嵌入孔８は工具ストッパー６の中心位置に設けられているから、調整工具７の嵌入が一層容易となる。
【００３５】
尚、レンチ等の調整工具７は、前記油導入孔４及び挿入孔２を通過して嵌入孔８に嵌入される。
【００３６】
また、工具受け体６ｂの前面は前述した工具１の基端のテーパー部と密着状態に当接し得る円錐状凹部に形成されている。更に、工具受け体６ｂの外周には挿入孔２の周壁に当接するシール部材９が設けられている。
【００３７】
また、基体６ａの先端には開口部を径小にした凹部14が設けられており、一方工具受け体６ｂには前記凹部14に挿入される先端を径大にした挿入部15が設けられている。従って、工具受け体６ｂは基体６ａに対して微動可能となる。
【００３８】
工具受け体６ｂの挿入部15は基体６ａの凹部14に圧入する。
【００３９】
また、基体６ａの凹部14の底と挿入部15の先端との間には図４に図示したようにＯリング16が設けられ、工具受け体６ｂが基体６ａに対して首振り状態となるように設けられている。
【００４０】
また、図５に図示したように、工具受け体６ｂの挿入部15の先端を凸湾曲形状に形成し、一方、基体６ａの凹部14の底を工具受け体６ｂの該凸湾曲形状に略合致する凹湾曲形状に形成することで、工具受け体６ｂが基体６ａに対して首振り状態となるように設定しても良い。尚、図４，図５の構成以外の構成を採用しても良いことは勿論である。
【００４１】
従って、この首振り作用により、工具１の基端が良好に工具受け体６ｂの前面と密着（当接）することになり、前記プルスタッドの油導入孔４を通じて挿入孔２に導入される油は、工具ストッパー６の基体６ａの孔６ａ’及び工具受け体６ｂの孔６ｂ’から成る嵌入孔８を通り、この工具受け体６ｂの前面と基端が密着した工具１の油通孔１ａを通じて途中で漏出することなく工具１の先端から吐出される。
【００４２】
また、本実施例においては、工具受け体６ｂに形成される孔６ｂ’は、基体６ａに形成される孔６ａ’よりわずかに径大に設定されている。従って、工具ストッパー６の後端側からだけでなく、前端側からもこの工具ストッパー６の回動前進若しくは回動後退を行える。尚、工具受け体６ｂに形成される孔６ｂ’を、基体６ａに形成される孔６ａ’より径小に設定することで、調整工具７が工具ストッパー６から突出することを阻止する構成としても良い。
【００４３】
本実施例においては、工具１及び工具ストッパー６の位置決めは以下のように行う。
【００４４】
工具１を挿入孔２の先端開口部２ａから挿入して該工具１のホルダ３からの突出量を適性に調整して工具保持部５により保持させた後、レンチ等の調整工具７を油導入孔４及び挿入孔２を通して、挿入孔２に予め螺着された工具ストッパー６の嵌入孔８に嵌入し、この調整工具７を回動させて、工具ストッパー６の前面を工具１の基端と当接させ、工具１をホルダ３にセットする。
【００４５】
本実施例は、上述のように構成したから、工具１を挿入孔２の先端開口部２ａから挿入して該工具１のホルダ３からの突出量を適性に調整した後、挿入孔２に予め設けられた工具ストッパー６を該工具ストッパー６の後面側から移動させて工具１の基端面に当接させることができるから、従来のように工具１を取り外しての調整が不要となり、工具１を所望の突出量に簡易に設定することができることになる（一度の位置決め作業で済むことになる）。従って、工具１の取り付けが極めて容易となり、作業性に秀れたものとなる。
【００４６】
具体的には、工具ストッパー６の基体６ａの後面を円錐状凹部に形成することで、調整工具７を嵌入孔８に嵌入する際に、たとえこの嵌入孔８の位置が全く分からない場合であってもこの円錐状凹部のテーパー部がガイドとなり、中心位置にある嵌入孔８まで調整工具７を誘導することができ、一層作業性に秀れたものとなる。
【００４７】
しかも、調整工具７を工具ストッパー６の後端側からだけでなく前端側からも嵌入孔８に嵌入することができ、この点からもより一層作業性に秀れたものとなる。
【００４８】
よって、本実施例は、従来のように切削工具と工具ストッパーの位置決め調整を何度も行う必要がなく、極めて容易に切削工具の突出量を決定して作業性を向上させることができる極めて実用性に秀れたものとなる。
【図面の簡単な説明】
【００４９】
【図１】従来例の概略説明断面図である。
【図２】本実施例の概略説明断面図である。
【図３】本実施例の工具ストッパーの拡大説明斜視図である。
【図４】本実施例の工具ストッパーの拡大説明断面図である。
【図５】本実施例の別例の工具ストッパーの拡大説明断面図である。
【符号の説明】
【００５０】
１  工具
２  挿入孔
２ａ  先端開口部
３  ホルダ
４  油導入孔
５  工具保持部
６  工具ストッパー
６ａ  基体
６ａ’  孔
６ｂ  工具受け体
６ｂ’  孔
７  調整工具
８  嵌入孔
９  シール部材
16  Ｏリング
【図１】
2005131765.tif 000003
【図２】
2005131765.tif 000004
【図３】
2005131765.tif 000005
【図４】
2005131765.tif 000006
【図５】
2005131765.tif 000007